(57)【特許請求の範囲】
【請求項１】
チャンバを含む手洗い装置であって、チャンバは、
ｉ  少なくとも１つの基板としての手を挿入するための開口部と、
ｉｉ  第一ノズル（ＰＷ）は供給液源と流体連通しており、第二ノズル（ＰＡ）は圧縮空気源に接続されている、２つのノズルを含むことを特徴とする少なくとも１つのエアウォータジェットノズルアセンブリと、を含み、
前記第一ノズル（ＰＷ）は中心軸（ＮＯＲ）に対して１から６０°の角度（α）であって、前記第二ノズル（ＰＡ）は前記中心軸（ＮＯＲ）に対して１から４５°の角度（φ）であり、
前記第二ノズル（ＰＡ）は前記供給液源から供給される水の水路を同軸に包囲せず、
第二ノズルの口（ＯＰＡ）は、第一ノズルの口（ＯＰＷ）よりも前記中心軸（ＮＯＲ）の方向に沿った流れの方向で前方に位置し、
前記第一ノズルの口（ＯＰＷ）と前記第二ノズルの口（ＯＰＡ）の間のオフセット距離（ＯＳ）は、前記方向において０．５から５ｍｍの間であり、
前記中心軸（ＮＯＲ）は、前記基板の表面に対して垂直な仮想線であり、
前記第一ノズルの口（ＯＰＷ）の形状および前記第二ノズルの口（ＯＰＡ）の形状は、楕円形または長方形である、手洗い装置。
【請求項２】
ａ  装置の前記第一ノズルの口（ＯＰＷ）が０．２〜３．５ｍｍ２の開口部を有し、
ｂ  装置の前記第一ノズルの口（ＯＰＷ）が、前記第二ノズル（ＰＡ）の壁のうち最も近接する部分からの距離が１ｍｍ未満である、請求項１に記載の装置。
【請求項３】
装置が、圧縮機および液体を保持するためのリザーバを含む別個のユニットに接続されており、圧縮機は圧縮空気源であって液体を保持するリザーバは液体源である、請求項１または２に記載の装置。
【請求項４】
第一ノズル（ＰＷ）が供給液源と流体連通しており、第二ノズル（ＰＡ）は圧縮空気源に接続されている、２つのノズルを含むエアウォータジェットノズルアセンブリを用いて基板としての手を洗うプロセスであって、前記第一ノズル（ＰＷ）は中心軸（ＮＯＲ）に対して１から６０°の角度（α）であり、前記第二ノズル（ＰＡ）は前記中心軸（ＮＯＲ）に対して１から４５°の角度（φ）であり、前記第二ノズル（ＰＡ）は前記供給液源から供給される水の水路を同軸に包囲せず、第二ノズルの口（ＯＰＡ）は、第一ノズルの口（ＯＰＷ）よりも前記中心軸（ＮＯＲ）の方向に沿った流れの方向で前方に位置し、前記第一ノズルの口（ＯＰＷ）と前記第二ノズルの口（ＯＰＡ）の間のオフセット距離（ＯＳ）は、前記方向において０．５から５ｍｍの間であり、前記中心軸（ＮＯＲ）は、前記基板の表面に対して垂直な仮想線であり、前記第一ノズルの口（ＯＰＷ）の形状および前記第二ノズルの口（ＯＰＡ）の形状は、楕円形または長方形であり、
ａ  洗剤成分の霧状ミストを手に噴霧するステップと、
ｂ  霧状ミストの水を手に噴霧することによって手をすすぐステップと、
ｃ  手に空気を吹き付けて手を乾燥させるステップと、を含むことを特徴とするプロセス。
【請求項５】
前記プロセスにおいて、手を濡らすために霧状ミストの水を噴霧するステップが前記ステップａ乃至前記ステップｃに先行する、請求項４に記載のプロセス。
【請求項６】
空気が３０℃〜７０℃に加熱される、請求項４または５に記載のプロセス。
【請求項７】
ノズルアセンブリからの空気と水との比率が９０：１０から９９．９：０．１の間である、請求項４から６のいずれかに記載のプロセス。
【発明の詳細な説明】
【技術分野】
【０００１】
本発明は手洗い装置の分野、具体的には公衆トイレにおいて手を洗って乾かすことの分野に含まれる。
【背景技術】
【０００２】
手洗いは一般的に衛生的であると考えられており、いくつかの病気の蔓延を防止するのに有効な方法であることが証明されている。
【０００３】
調査は、人々が公衆トイレ（化粧室としても知られる）において必ずしも手を洗わないことを示している。理論に縛られることは望まないが、一般的には公衆トイレ自体が不衛生であると考えられており、ユーザは公衆トイレ内の何にも触れないことの方を好み、できるだけ早い機会にそこを立ち去りたいと望む。
【０００４】
長年にわたり、公衆トイレでの手洗いをより魅力的にするために多くのことが試されてきた。
【０００５】
何十年もの間、汚れたタオルやすぐに在庫切れするペーパータオルディスペンサを回避するために、洗った後の手を乾かすための電気乾燥機が使用されてきた。
【０００６】
ソープディスペンサが固形石けんに取って代わり、自動水栓は、洗った後に水を止めるために汚れた蛇口のハンドルに触れるという問題を解決した。
【０００７】
米国特許第３９１８９８７Ａ号明細書（Ｋｏｏｐｅｒ，Ｒｕｄｏｌｐｈ  Ｊ．）は、洗浄手順を実行するために所定の流速および圧力で内向きに流体のストリームを噴出する複数のノズルを含む、手および前腕洗浄装置を開示している。装置は手洗いのための統合的解決法を開示しているものの、節水および作用のための最少量の使用という問題は解決していない。
【０００８】
これらの解決法のすべてはまだ非常に面倒であり、時間や場所も取る。さらに、これらの開発は通常の手洗い習慣を改善したとはいえ、より少ない水の消費で手を洗い、消毒し、乾燥させるための統合的解決法は未だに求められている。
【先行技術文献】
【特許文献】
【０００９】
【特許文献１】米国特許第３９１８９８７号明細書
【発明の概要】
【発明が解決しようとする課題】
【００１０】
本発明の目的は装置を提供することである。
【００１１】
さらなる目的は、連続的に手を濡らし、洗浄および／または消毒成分を付着させ、すすぐための装置を提供することである。
【００１２】
さらに別の目的は、洗浄後に手の乾燥もさせる装置を提供することである。
【００１３】
さらに別の目的は、洗浄中に少量の水を使用することである。
【００１４】
驚くことに、少量の水を使用して短時間で手を洗浄するために、第一ノズルは供給液源と流体連通していて第二ノズルは圧縮空気源に接続されている、２つのノズルを含むエアウォータジェットノズルアセンブリが使用され得ることが、見いだされた。
【課題を解決するための手段】
【００１５】
本発明は、少なくとも１つの手を挿入するための開口部と、第一ノズルは供給液源と流体連通しており第二ノズルは圧縮空気源に接続されている、２つのノズルを含む少なくとも１つのエアウォータジェットノズルアセンブリとを含む、チャンバを含む手洗い装置を提供する。
【００１６】
別の態様において、本発明は、第一ノズルは供給液源と流体連通しており第二ノズルは圧縮空気源に接続されている、２つのノズルを含む少なくとも１つのエアウォータジェットノズルアセンブリを用いて手を洗うプロセスを提供し、プロセスは、洗剤成分の霧状ミストを手に噴霧するステップと、霧状ミストの水を手に噴霧することによって手をすすぐステップと、手に空気を吹き付けて手を乾燥させるステップと、を含む。
【００１７】
以下の詳細な説明および添付請求項を読めば、これらおよびその他の態様、特徴、および利点は当業者にとって明らかとなるだろう。疑念を回避するため、本発明の一態様のいずれの特徴も、本発明の別の態様に利用されてよい。「含む（ｃｏｍｐｒｉｓｉｎｇ）」という語は「含む（ｉｎｃｌｕｄｉｎｇ）」ことを意味するが、必ずしも「〜からなる（ｃｏｎｓｉｓｔｉｎｇ  ｏｆ）」または「〜でできている（ｃｏｍｐｏｓｅｄ  ｏｆ）」を意味するものではない。言い換えると、列挙されたステップまたは選択肢は網羅的であるとは限らない。以下の説明に記載される例は、本発明を明確化するように意図されているが、これらの例そのものに本発明を限定するように意図されるものではない。同様に、すべてのパーセンテージは別途指示されない限り重量／重量パーセンテージである。動作および比較例、あるいは別途明確に指示される場合を除き、本明細書において、物質の量または反応条件、材料および／または使用の物理特性を示すすべての数値は、「約」という語によって修飾されると理解されるべきである。「ｘからｙまで」という形式で表される数値範囲は、ｘおよびｙを含むように理解される。特定の特徴について複数の好適な範囲が「ｘからｙまで」という形式で記載されているとき、異なる終点を組み合わせるすべての範囲が考えられると理解される。
【図面の簡単な説明】
【００１８】
【図１】エアウォータジェットノズルの模式図である。
【図２】エアウォータジェットノズルを示す図である。
【発明を実施するための形態】
【００１９】
本発明は、手洗い用装置を提供する。本発明による装置はさらに、手を乾かすのにも適していてもよい。装置は、空港のトイレ、ガソリンスタンドのトイレ、会社のトイレ、病院のトイレなどの公衆トイレでの使用に、特に適している。装置を家庭で採用することも想定される。
【００２０】
本発明による装置は、少なくとも１つの手を挿入するための開口部と、第一ノズルは供給液源と流体連通しており第二ノズルは圧縮空気源に接続されている、２つのノズルを含むエアウォータジェットノズルアセンブリとを含む、チャンバを含む。
【００２１】
チャンバ
チャンバは、装置で洗うために手を入れるための開口部を含む。チャンバは場合により、２つ以上の手を同時に挿入するために２つ以上の開口部を、または同じ目的のためにより大きい開口部を含んでもよい。
【００２２】
開口部はチャンバのいずれの末端にあってもよい。開口部に最も適した側は、垂直に手を入れるために上部にあるか、または水平に手を入れるためにいずれかの側面にあるか、またはその間のどこかにある。底部にある手を入れるための開口部は、本願の範囲から除外されるものではないが、一般的には対象ユーザに好まれない。
【００２３】
チャンバは、１つは空気用、もう１つは液体用の、２つのノズルを含むエアウォータジェットノズルアセンブリをさらに含む。好ましくは、チャンバは２つ以上のエアウォータジェットアセンブリを含んでもよく、より好ましくは装置は、手の全面を、このとき少なくとも片側、しかし好ましくは両側を同時に覆う、エアウォータジェットノズルの配列を包含する。
【００２４】
エアウォータジェットアセンブリ
エアウォータジェットアセンブリは、第一ノズルは供給液源と流体連通しており第二ノズルは圧縮空気源に接続されている、２つのノズルを含む。エアウォータジェット装置は手洗い装置に組み込まれる。
【００２５】
液体源は、給水本管から直接、ポンプを通じて、水を保持する加圧容器を通じて、またはその他いずれかの手段によって、あるいは重力によって（すなわちエアウォータジェットを使用する高さより上に貯水槽を配置することによって、エアウォータジェット装置に供給される、いずれの給水源であってもよい。
【００２６】
供給液はいずれの液体であってもよい。通常の皮膚洗浄には、通常は水性成分が好ましい。液体用ノズルは以下において水ノズルと称されるが、しかし水ノズルは水性液体またはその他の場合により有益剤を含む肌トリートメント成分を含む、水またはその他いずれかの液体を通してもよいことは、理解される。
【００２７】
同様に、空気源は、手洗い装置から独立またはこれ組み込まれた圧縮機を通じて、あるいはしばしば病院で利用できるような圧縮空気管を通じて供給される、いずれの空気源であってもよい。
【００２８】
空気は加熱され得ることが好ましい。空気温度は少なくとも３０℃、より好ましくは少なくとも３５℃、さらにより好ましくは少なくとも４０℃、しかし通常は７０℃未満、より好ましくは６５℃未満、またはさらには６０℃未満であることが、好ましい。
【００２９】
第一ノズル（水ノズル）および第二ノズル（空気ノズル）はいずれも、仮想中心軸（ＮＯＲ）に対して位置決めされる。第一ノズルは中心軸に対して１から６０°、好ましくは１０°から３０°の角度（α）で位置決めされ、第二ノズルは中心軸に対して１から４５°、好ましくは１５°から３０°の角度（φ）である。
【００３０】
第二ノズルの口は、第一ノズルの口よりも中心軸の方向に沿った流れの方向で前方に位置し、ここで第一ノズルと第二ノズルの口の間のオフセット（ＯＳ）距離は、前記方向において０．５から５ｍｍの間、好ましくは１〜３ｍｍである。
【００３１】
最善の結果は、第一ノズルが０．０５から１０ｍｍ２、好ましくは少なくとも０．２ｍｍ２、ただし７ｍｍ２以下、より好ましくは５ｍｍ２以下、またはさらには３ｍｍ２以下の開口部を有するときに、得られる。同様に、第二ノズルの開口部は好ましくは０．２から３ｍｍ２である。
【００３２】
円形開口部を有するノズルの場合、第一ノズルの直径は好ましくは０．２５から３．５ｍｍ、好ましくは少なくとも０．５ｍｍ、しかし好ましくは３ｍｍ以下、より好ましくは２．５ｍｍ以下、またはさらには３ｍｍ未満であり、その一方で第二ノズルの直径は好ましくは０．５から２ｍｍの間である。
【００３３】
本発明の範囲は、単一の空気ノズルに向けられた２つ以上の水ノズルを含む構成を、さらに含む。これは装置を複雑にし、通常は好ましくないことであるが、異なるまたは適合しない原料を混合または反応させる作用のさらなる利点を提供する。
【００３４】
加えて、一方または両方のノズルについて、円形、正方形、長方形、および楕円形開口部を含むがこれらに限定されない、異なるノズル形状が考えられる。より大きい表面では、スリットタイプ（楕円形または長方形）空気ノズルおよび類似寸法の水ノズル、または多数の水ノズルが好ましく、より好ましは楕円形または長方形スリットの端から端までの最長距離と端から端までの最短距離との比率が２：１から２０：１、さらにより好ましくは２：１から１０：１である。この文脈において、延長部品の間に（すなわちくぼみに）位置している１つ以上の水ノズルを備える十字または星形の空気ノズルもまた、考えられる。
【００３５】
理論に縛られることは望まないが、本発明の性能は、仮想軸に対するノズルの位置決め、および空気ノズル（第二ノズル）に対する水ノズル（第一ノズル）のオフセットに由来すると考えられる。この位置決めのため、水ノズルからの供給液は空気ノズルの周りに膜を形成し、これにより、低い液体−空気比で（すなわち少ない液体を使用して）より細かいスプレーを提供する。空気ノズルからの空気流は、ノズルがどの方向を指しているかにかかわらず、空気ノズル端に沿って空気ノズルの方向に液体が押しやられることを保証する、局所的加圧状態を形成すると考えられる。さらに空気および水ノズル開口部の分離のため、液体流は空気圧による影響を受けないが、これは内部混合ノズル設計と共通の問題である。
【００３６】
ノズルから手までの距離は、少なくとも１ｃｍ、最大で１５ｃｍであることが好ましい。距離は好ましくは少なくとも２ｃｍ、より好ましくは少なくとも３ｃｍ、またはさらには少なくとも４ｃｍである。距離は好ましくは１２ｃｍ以下、より好ましくは１０ｃｍ以下、またはさらには８ｃｍ以下である。
【００３７】
液体：空気比は、１０：９０から１：９９９９の間、より好ましくは５：９５未満、さらにより好ましくは４：９６未満、さらにより好ましくは３：９７未満、２：９８未満、またはさらには１：９９未満であり、その一方で比率は好ましくは３：９９９７超、より好ましくは５：９９９５超であることが、好ましい。
【００３８】
水ノズルの開口部と空気ノズル側との間には短い距離しかないことがさらに好ましく、この距離は好ましくは２ｍｍ未満、より好ましくは１ｍｍ未満、またはさらには０．５ｍｍ未満である。水ノズルの開口部は空気ノズルに接触していることが、最も好ましい。
【００３９】
空気ノズルは水路を同軸に包囲しないことが、好ましい。水ノズルは空気ノズルを同軸に包囲しないこともまた、望ましい。
【００４０】
空気源の空気圧は、好ましくは１から５バールの範囲である。空気は好ましくはノズルの出口（ノズル開口部）において８０ｍ／ｓより速い速度、好ましくは１２０ｍ／ｓより速い速度、より好ましくは１８０ｍ／ｓより速い速度、最も好ましくは２５０ｍ／ｓより速い速度を有する。本発明は非常に早い気流速度まで機能するであろうが、構造的な理由およびユーザの利便性のため、気流速度は音速未満（すなわち３３４ｍ／ｓ未満）であることが好ましい。ノズル径に応じて、空気流量は好ましくは３から５０ｌ／ｍｉｎの間であり、好ましくは５ｌ／ｍｉｎを超え、またはさらには１０ｌ／ｍｉｎを超える。空気流量は好ましくは４０ｌ／未満、より好ましくは３０ｌ／ｍｉｎ未満、またはさらには２５ｌ／ｍｉｎ未満である。
【００４１】
液体流量は一般的に２から１００ｍｌ／ｍｉｎの間であり、好ましくは５ｍｌ／ｍｉｎを超え、またはさらには１０ｍｌ／ｍｉｎを超えるが、その一方で液体流量は好ましくは８０ｍｌ／ｍｉｎ未満、より好ましくは５０ｍｌ／ｍｉｎ未満、またはさらには４０ｍｌ／ｍｉｎ未満である。
【００４２】
構成
空気および／または液体源は、装置に組み込まれてもよく、あるいは別個のユニットに取り付けられてもよい。後者の場合、圧縮機、圧縮空気カートリッジもしくはシリンダ、またはその他の空気源および／または場合により給水本管に接続された液体リザーバを含む、別個のユニットが提供される。ユニットは、送気管および／または送水管としての管材によって、携帯装置に接続される。
【００４３】
送気、送水、および排水配管を完全に組み込んだ装置が公衆トイレに好ましく、その一方で家庭では、手作業で水が補充され、排水が空にされてもよい。
【００４４】
ノズル配列
装置は、空気ノズルおよび水ノズルを含む、少なくとも１つのノズルアセンブリを含む。
【００４５】
装置は、片手につきいくつかのノズル、好ましくは片手につき１から２５個のノズルを含むことが好ましい。しかしながら、容易な位置決めおよび動作を目的として、片手につき１から１２個のノズルが最善の結果をもたらすことが見いだされた。ノズルは、手の片側のみ、または同時に両側に噴霧するように、構成されてもよい。ノズルアセンブリは、直線プロファイルに沿って、またはたとえば平均的な手の形状に沿った曲線など、湾曲するように、一列として構成されてもよい。通常、１つのノズル列は１から６個のノズルアセンブリ、好ましくは２から４個のアセンブリを含む。本発明の文脈において、手の片側につき１列を超えるノズルアセンブリの列を有することも考えられる。
【００４６】
本発明の装置は、ブラシ、スクラバ、および／またはマッサージ要素など、その他の洗浄機能をさらに組み込んでもよいが、しかし衛生面からこれは好ましくない。
【００４７】
より多くのノズルを使用する代わりにミストスプレーがより広い面積にわたって移動するように、エアウォータジェットノズルを備える配列が可動リグに実装されてもよい。
【００４８】
装置は、空気源として空気圧縮機をさらに含んでもよい。圧縮機は、装置のチャンバ内に取り付けられてもよく、あるいは管によってエアウォータジェットに接続された別個の装置として提供されてもよい。圧縮機は好ましくは少なくとも１バールであって５バールを超えない、好ましくは４バール未満の、圧力を提供する。このため上記の仕様を達成するために、一般的には０．０５から１馬力の範囲の、非常に低出力の圧縮機が使用されることが可能である。管材および装置内での圧力低下のため、空気ノズルにおける圧力は、好ましくは１から４バール、より好ましくは２から３バールの範囲となる。圧力を設定する手段を備える装置もまた考えられる。この場合、ユーザはたとえば、皮膚表面洗浄または毛穴洗浄を選択することができる。
【００４９】
液体源は給水本管であってもよく、すなわち蛇口に直接接続されてもよく、あるいは別個のリザーバの形態であってもよい。洗浄装置とともに使用するための液体源の圧力は比較的低く、好ましくは少なくとも０．０５バール、より好ましくは少なくとも０．１バールであるが、好ましくは３バールを超えず、より好ましくは２．５バール未満であり、さらにより好ましくは２バール未満である。
【００５０】
別個のリザーバが液体源として使用されるとき、前記リザーバは、水のみ、洗浄成分、有益剤を含む成分で満たされてもよい。
【００５１】
液体リザーバは、圧力を提供するように洗浄装置の使用レベルより上に配置されてもよく、あるいは別途加圧されてもよい。別途加圧されるときは、リザーバは圧縮空気源からの圧縮空気を用いて加圧されることが、特に好ましい。
【００５２】
乾燥
本発明による装置は、洗浄／処理の後に手を乾燥させる可能性を、さらに提供してもよい。
【００５３】
これは、空気ノズルを通じて空気のみ、好ましくは温風を吹き付けることによってなされてもよく、水ノズルへの水流は停止される。あるいは、同じ洗浄および乾燥チャンバ内への乾燥用ノズルの別の配列もまた考えられる。
【００５４】
気流速度は少なくとも１０ｍ／ｓ、より好ましくは少なくとも２０ｍ／ｓ、さらにより好ましくは少なくとも３０ｍ／ｓであることが好ましく、その一方で気流速度は一般的に２００ｍ／ｓ未満、より好ましくは１５０ｍ／ｓ未満、またはさらには１００ｍ／ｓ未満である。
【００５５】
空気流は少なくとも１０Ｌ／ｓ、好ましくは少なくとも２０Ｌ／ｓ、さらにより好ましくは少なくとも３０Ｌ／ｓ、またはさらには少なくとも５０Ｌ／ｓであることが好ましく、その一方で流れは一般的に１０００Ｌ／ｓ未満、またはより好ましくは８００Ｌ／ｓ未満、さらにより好ましくは５００Ｌ／ｓ未満、さらにより好ましくは３００Ｌ／ｓ未満、またはさらには１００Ｌ／ｓ未満である。
【００５６】
乾燥のための空気の温度は少なくとも３０℃、より好ましくは少なくとも４０℃、またはさらには５０℃を超えるが、通常は１００℃未満、より好ましくは９０℃未満、さらにより好ましくは８０℃未満、またはさらには７０℃未満であることが、好ましい。
【００５７】
空気はいずれの方向から吹き付けられてもよいが、好ましくは上から下に向かって吹き付けられる。
【００５８】
トリートメント成分
本発明の範囲内で、様々な種類のトリートメント成分が想定される。
【００５９】
本発明による装置は、ハンドソープ、手の衛生および芳香成分を含むがこれらに限定されない、様々なスキンケアおよび洗浄製品を皮膚に適用してもよい。
【００６０】
すすぎ前の製品と皮膚との接触時間は少なくとも５秒、より好ましくは少なくとも１０秒、さらにより好ましくは少なくとも１５秒、またはさらには少なくとも２０秒であることが、好ましい。
【００６１】
本発明による手洗い方法は、１分未満、より好ましくは４５秒未満、またはさらには３０秒未満で手を洗浄できることが、好ましい。
【００６２】
成分のｐＨは好ましくは中性または弱酸性、より好ましくはｐＨ２から９、さらにより好ましくは少なくともｐＨ３であり、その一方でより好ましくはｐＨ８未満、さらにより好ましくはｐＨ７未満、またはさらにはｐＨ６未満である。
【００６３】
手洗い
手の洗浄成分および／または消毒製品は一般的に界面活性剤を含み、好ましくはＳＬＳおよびＳＬＥＳなどのアニオン性界面活性剤、可溶性石けん、および／またはアルコールエトキシレートなどの非イオン性界面活性剤を含む。界面活性剤の濃度は一般的に０．２〜５ｇ／Ｌ、好ましくは１〜３ｇ／Ｌである。
【００６４】
手の消毒
装置は、手消毒剤を手に噴霧するのにも適している。消毒剤は、洗浄成分に組み込まれてもよく、あるいは洗浄の代わりにまたは洗浄後に適用されてもよい。一般的な消毒剤は、当業者によって一般的に理解されるように、低級アルコールおよび四級アンモニウム殺生物剤を含む。
【００６５】
動作
装置の使用中、エアウォータジェットは連続的または不連続的に使用されてもよい。考えられる動作方法の１つは、動作の一部の間にエアウォータジェットを使用することである。別の実施形態では、エアウォータジェットは洗浄のための洗浄プロセスの初期に使用され、ハンドクリームまたはローションなどの有益剤を手に付着させるために、液体流のみまたは液体流と低空気流とで動作させる。
【００６６】
別の実施形態では、エアウォータジェットはパルスモードで動作され、すなわち空気流は経時的にオン−オフ方式で制御される。さらに別の実施形態では、皮膚（上記で定義されたように、髪、頭皮、およびその他のケラチン表面も含む）を洗浄およびトリートメントしながらエアウォータジェットのスイッチをオンオフするための押しボタンが、携帯装置に取り付けられている。
【００６７】
いずれの不連続的動作においても、適切な電磁弁を用いて送気および／または送液管を開閉させることが好ましい。
【００６８】
装置の動作中に送液および／または送気管を開放し、その一方で装置が使用されていないときに送液および／または送気管を閉鎖するために、弁システムが使用されてもよい。
【００６９】
ここで本発明は、以下の非限定的な図面および例を参照して説明される。実施形態および例は実例に過ぎず、本発明の範囲をいかようにも限定するものではない。
【００７０】
したがって、本発明は、第一ノズルは供給液源と流体連通しており第二ノズルは圧縮空気源に接続されている、２つのノズルを含むエアウォータジェットノズルアセンブリを用いて手を洗うプロセスを提供し、プロセスは、洗剤成分の霧状ミストを手に噴霧するステップと、霧状ミストの水を手に噴霧することによって手をすすぐステップと、手に空気を吹き付けて手を乾燥させるステップと、を含む。
【００７１】
好ましくは、プロセスは、手を濡らすために霧状ミストの水を噴霧するステップが先行する。
【００７２】
皮膚の快適さのために最も好適な空気の温度は、３０〜７０℃である。
【００７３】
ノズルアセンブリからの空気と水との比率は、一般的に９０：１０から９９．９：０．１の間である。
【００７４】
図面の詳細な説明
図１は、ノズル（Ｎ）が、距離（ＯＳ）だけオフセットした、空気出口ポート（ＯＰＡ）に対して基板から離れた位置にある液体出口ポート（ＯＰＷ）を有する構成を示す。基板（ＦＳ）に対する液体出口ポートの入射角は、角度αで定義される。基板（ＦＳ）に対する空気出口ポートの入射角は、角度φで定義される。点線ＮＯＲは、基板の表面に対して垂直な仮想線を表す。見てわかるように、ノズルのこの実施形態において、角度αは角度φよりも大きい。空気は空気出口ポート（ＯＰＡ）を通じてノズルを出て、液体は液体出口ポート（ＯＰＷ）を通じて出る。
【００７５】
図２は１つの空気ノズルおよび１つの水ノズルを備える構成を示す。
【００７６】
ここで本発明は、以下の非限定例によって実証される。
【００７７】
例１：手洗い
本例において、本発明による装置を用いる手の洗浄が、同じ洗浄製剤を用いる通常の手洗いと比較される。
【００７８】
前処理
テストに先立って、例および比較例の手は、正常細菌叢を手から除去するために７０％のアルコールで消毒され、乾燥させられ、アルコールの痕跡を除去するために滅菌蒸留水で洗浄された。
【００７９】
次に（１００マイクロリットル中）１０７個の大腸菌の非病原性株を含有する１００マイクロリットルが各手に付着され、ボランティアは手のひらおよび指全体に培養菌を拡散するよう依頼された。
【００８０】
１つの手（例１）は、３ｇ／Ｌのアルコールエトキシレート非イオン性界面活性剤（Ｃ＜１２＞ＥＯ＜７＞非イオン性界面活性剤）１０ｍｌで１５秒間洗浄され、別の手（比較例Ａ）は、本発明によるエアウォータジェット装置を用いて同じ量の同じ界面活性剤で１５秒間洗浄された。
【００８１】
例におけるエアウォータジェットは２つのノズルアセンブリを含み、エアウォータジェット装置の空気圧は各ノズルアセンブリにつき２０ｍｌ／ｓの液体流量で４バールであった。
【００８２】
本発明による手洗いは、安全目的のため、気密チャンバ内で実行された。
【００８３】
手の残留細菌が従来の方法で測定された。
【００８４】
結果
残留コロニーに関する洗浄結果（ＣＦＵ／手で表される）は、以下の表に示される。
【００８５】
結果
【００８６】
【表１】
0005913361.tif 000002
上記の表より、エアウォータジェット装置を用いる洗浄プロセスは従来の洗浄方法よりも大腸菌を約０．６ｌｏｇ多く除去することが明らかになった。
【図１】
0005913361.tif 000003
【図２】
0005913361.tif 000004